(57)【要約】【課題】特殊なサービスを提供する基地局との接続を優先させるように、ハンドオーバ実行の要否を決定するハンドオーバ制御方法を得ること。【解決手段】移動局４と通信中の基地局１は、自局が送信する無線信号の品質が劣化し所定の検出閾値を下回ったことを認識し、かつ、移動局４が属するユーザグループにサービスを提供する基地局３が存在すると判断した場合に、基地局３をハンドオーバ先基地局の候補として優先的に選択し、さらに、通常よりハンドオーバが速やかに実施されるように設定された所定の高速実施判定条件を指定し、移動局４に通知することとした。【選択図】        図１
2009147531.tif 000002
【特許請求の範囲】
【請求項１】
一般的な公衆サービスを提供する基地局および特定のユーザグループに属する移動局に限定してサービスを提供する基地局を含む複数の基地局と、当該複数の基地局配下のセルを移動しながら通信を行う移動局と、を備える無線通信システムにおけるハンドオーバ制御方法であって、
前記移動局が、通信中の基地局および通信可能な周辺の基地局が送信する無線信号の品質を測定し、その結果を前記通信中の基地局に報告する第１の品質測定ステップと、
前記通信中の基地局が、前記移動局が属するユーザグループにサービスを提供するサービス提供基地局が隣接基地局の中に存在すると判断した場合に、当該サービス提供基地局をハンドオーバ先基地局の候補として優先的に選択する基地局選択ステップと、
前記サービス提供基地局が選択されている場合に、前記通信中の基地局が、通常よりハンドオーバが速やかに実施されるように設定された所定の高速実施判定条件を指定し、前記移動局に通知する判定閾値指定ステップと、
前記移動局が、前記通信中の基地局から受信した無線信号の品質が劣化し前記判定条件を満たしていると判断した場合に、その旨を前記通信中の基地局へ報告する第２の品質測定ステップと、
前記通信中の基地局が、報告内容に基づき前記サービス提供基地局へのハンドオーバの実行を前記移動局に指示するハンドオーバ判断ステップと、
を含むことを特徴とするハンドオーバ制御方法。
【請求項２】
前記高速実施判定条件を満たしているかどうかの判断基準として所定の高速実施判定閾値を採用し、
前記第２の品質測定ステップでは、
前記通信中の基地局から受信した無線信号の品質が前記サービス提供基地局から受信した無線信号の品質を下回り、さらにその差分が所定の高速実施判定閾値に達した時点で、その旨を前記通信中の基地局へ報告することを特徴とする請求項１に記載のハンドオーバ制御方法。
【請求項３】
前記高速実施判定条件を満たしているかどうかの判断基準として所定の高速実施判定閾値を採用し、
前記第２の品質測定ステップでは、
前記サービス提供基地局から受信した無線信号の品質が所定の高速実施判定閾値に達した時点で、その旨を前記通信中の基地局へ報告することを特徴とする請求項１に記載のハンドオーバ制御方法。
【請求項４】
前記判定閾値指定ステップでは、
前記通信中の基地局が前記サービス提供基地局であり、かつ、前記基地局選択ステップで選択されたハンドオーバ先基地局が前記サービス提供基地局以外の基地局である場合、通常よりハンドオーバの実施を遅らせて可能な限り前記通信中の基地局との通信が継続できるように設定された所定の低速実施判定条件を指定し、前記移動局に通知することを特徴とする請求項１、２または３に記載のハンドオーバ制御方法。
【請求項５】
前記低速実施判定条件を満たしているかどうかの判断基準として所定の低速実施判定閾値を採用し、
前記第２の品質測定ステップでは、
前記通信中のサービス提供基地局から受信した無線信号の品質が前記ハンドオーバ先基地局から受信した無線信号の品質を下回り、さらにその差分が所定の低速実施判定閾値に達した時点で、その旨を前記通信中のサービス提供基地局へ報告することを特徴とする請求項４に記載のハンドオーバ制御方法。
【請求項６】
前記低速実施判定条件を満たしているかどうかの判断基準として所定の低速実施判定閾値を採用し、
前記第２の品質測定ステップでは、
前記通信中のサービス提供基地局から受信した無線信号の品質が所定の低速実施判定閾値に達した時点で、その旨を前記通信中のサービス提供基地局へ報告することを特徴とする請求項４に記載のハンドオーバ制御方法。
【請求項７】
システムを構成するすべての基地局が、自局の管理するユーザグループの識別情報を報知する報知ステップと、
前記移動局が、識別情報に基づいて自局のユーザグループへの登録状況を確認し、その登録状況を前記通信中の基地局へ報告する報告ステップと、
をさらに含み、
前記通信中の基地局が全隣接基地局におけるユーザグループの登録状況を管理する場合、前記基地局選択ステップでは、
前記通信中の基地局が、前記移動局から報告された登録状況の内容の正当性を検証し、前記移動局が属するユーザグループにサービスを提供可能なサービス提供基地局が存在する場合に、当該サービス提供基地局をハンドオーバ先基地局の候補として優先的に選択することを特徴とする請求項４、５または６に記載のハンドオーバ制御方法。
【請求項８】
システムを構成するすべての基地局が、自局の管理するユーザグループの識別情報を報知する報知ステップと、
前記移動局が、識別情報に基づいて、ユーザグループにサービスを提供する基地局が隣接基地局の中に存在するがどうかを確認し、その基地局の有無に関する情報を前記通信中の基地局へ報告する報告ステップと、
をさらに含み、
前記基地局選択ステップでは、前記通信中の基地局が、前記移動局から報告された情報に基づいて、前記移動局が属するユーザグループにサービスを提供するサービス提供基地局が存在しているかどうかを検索し、存在する場合に、当該サービス提供基地局をハンドオーバ先基地局の候補として優先的に選択することを特徴とする請求項４、５または６に記載のハンドオーバ制御方法。
【請求項９】
システムを構成するすべての基地局が、自局の管理するユーザグループの識別情報を報知する報知ステップと、
前記移動局が、識別情報に基づいて自局のユーザグループへの登録状況を確認し、その登録状況を前記通信中の基地局へ報告する報告ステップと、
をさらに含み、
前記通信中の基地局が自局におけるユーザグループの登録状況を管理する場合、前記基地局選択ステップでは、
前記通信中の基地局が、前記移動局から報告された登録状況の内容を隣接基地局に通知し、当該隣接基地局が通知内容の正当性を検証しその結果を返信し、隣接基地局の中の一つがサービス提供基地局として前記移動局が属するユーザグループにサービスを提供可能な場合に、前記通信中の基地局が、当該サービス提供基地局をハンドオーバ先基地局の候補として優先的に選択することを特徴とする請求項４、５または６に記載のハンドオーバ制御方法。
【請求項１０】
システムを構成するすべての基地局が、自局の管理するユーザグループの識別情報を報知する報知ステップと、
前記移動局が、識別情報に基づいて自局のユーザグループへの登録状況を確認し、その登録状況を前記通信中の基地局へ報告する報告ステップと、
をさらに含み、
前記システム内の所定のサーバが全基地局におけるユーザグループの登録状況を一括管理する場合、
前記通信中の基地局が、前記移動局から報告された登録状況の内容を前記サーバに通知し、当該サーバが通知内容の正当性を検証しその結果を返信し、隣接基地局の中の一つがサービス提供基地局として前記移動局が属するユーザグループにサービスを提供可能な場合に、前記通信中の基地局が、当該サービス提供基地局をハンドオーバ先基地局の候補として優先的に選択することを特徴とする請求項４、５または６に記載のハンドオーバ制御方法。
【請求項１１】
前記移動局が、前記報知ステップにて報知される識別情報に基づいて、自局が属するユーザグループにサービスを提供する基地局が存在しないことを認識した場合に、その旨をユーザへ通知するユーザ通知ステップ、
を含み、
前記所定の低速実施判定条件を指定するかどうかを、前記移動局の操作により選択可能とすることを特徴とする請求項７〜１０のいずれか一つに記載のハンドオーバ制御方法。
【請求項１２】
前記通信中の基地局が前記サービス提供基地局であり、かつ、前記通信中の基地局が前記所定の低速実施判定条件を指定している場合、
前記移動局の操作により前記所定の低速実施判定条件の指定を解除可能とすることを特徴とする請求項１１に記載のハンドオーバ制御方法。
【請求項１３】
前記通信中の基地局は、自局が前記移動局にサービスを提供するサービス提供基地局である場合に、ハンドオーバを禁止することを特徴とする請求項７〜１０のいずれか一つに記載のハンドオーバ制御方法。
【請求項１４】
前記第１の品質測定ステップで前記移動局から報告される測定結果を無視することにより、ハンドオーバを禁止することを特徴とする請求項１３に記載のハンドオーバ制御方法。
【請求項１５】
前記移動局にサービスを提供しない基地局がハンドオーバ先基地局の候補として選択された場合に、当該基地局に対する無線信号品質測定を行わないように制御することにより、ハンドオーバを禁止することを特徴とする請求項１３に記載のハンドオーバ制御方法。
【請求項１６】
前記通信中の基地局は、前記移動局から、無線信号品質の劣化によって通信の継続が困難な状態である旨の報告を受けた場合、前記ハンドオーバを禁止する動作を解除することを特徴とする請求項１３、１４または１５に記載のハンドオーバ制御方法。
【請求項１７】
前記移動局が、前記報知ステップにて報知される識別情報に基づいて、自局が属するユーザグループにサービスを提供する基地局が存在しないことを認識した場合に、その旨をユーザへ通知するユーザ通知ステップ、
を含み、
前記ハンドオーバを禁止する動作を実施するかどうかを、前記移動局の操作により選択可能とすることを特徴とする請求項１３〜１６のいずれか一つに記載のハンドオーバ制御方法。
【請求項１８】
前記通信中の基地局が前記サービス提供基地局であり、かつ、前記通信中の基地局がハンドオーバを禁止している場合、
前記移動局の操作により前記ハンドオーバを禁止する動作を解除可能とすることを特徴とする請求項１７に記載のハンドオーバ制御方法。
【請求項１９】
前記移動局は、前記通信中の基地局が自局にサービスを提供するサービス提供基地局である場合、ハンドオーバ先基地局の候補に対する無線信号品質の測定指示を無視することで、ハンドオーバを禁止することを特徴とする請求項７〜１０のいずれか一つに記載のハンドオーバ制御方法。
【請求項２０】
前記移動局は、前記通信中の基地局が自局にサービスを提供するサービス提供基地局である場合、ハンドオーバ先基地局の候補に対する無線信号品質の測定および当該測定結果の報告、またはそのいずれか一方、の頻度を下げる動作を行うことで、ハンドオーバを抑制することを特徴とする請求項７〜１０のいずれか一つに記載のハンドオーバ制御方法。
【請求項２１】
請求項１９に記載のハンドオーバを禁止する動作または請求項２０に記載のハンドオーバを抑制する動作を、前記移動局の操作により選択的に実施可能とすることを特徴とする請求項７〜１０のいずれか一つに記載のハンドオーバ制御方法。
【請求項２２】
前記移動局は、無線信号品質の劣化によって通信の継続が困難な状態であることを検出した場合、前記ハンドオーバを禁止する動作または前記ハンドオーバを抑制する動作を解除することを特徴とする請求項１９、２０または２１に記載のハンドオーバ制御方法。
【請求項２３】
前記通信中の基地局は、ユーザグループにサービスを提供する基地局が隣接基地局の中に存在する場合に、ユーザグループにサービスを提供する基地局に対する品質測定を優先的に実行しその測定結果を優先的に報告するように、前記移動局に対して指示することを特徴とする請求項１〜２２のいずれか一つに記載のハンドオーバ制御方法。
【請求項２４】
前記通信中の基地局は、ユーザグループにサービスを提供する基地局が隣接基地局の中に無い場合に、前記移動局に対して品質測定を行わないように指示することを特徴とする請求項２３に記載のハンドオーバ制御方法。
【請求項２５】
前記通信中の基地局は、ユーザグループにサービスを提供する基地局が隣接基地局の中に存在する場合に、当該ユーザグループの識別情報を前記移動局へ通知し、
前記移動局では、自局が属するユーザグループの識別情報が前記通知内容に含まれている場合に、自局が属するユーザグループを管理する基地局に対する品質測定を優先的に行うことを特徴とする請求項１〜２２のいずれか一つに記載のハンドオーバ制御方法。
【請求項２６】
前記移動局では、自局が属するユーザグループの識別情報が前記通信中の基地局からの通知内容に含まれていない場合に、品質測定を行わないことを特徴とする請求項２５に記載のハンドオーバ制御方法。
【請求項２７】
一般的な公衆サービスを提供する基地局および特定のユーザグループに属する移動局に限定してサービスを提供する基地局を含む複数の基地局と、当該複数の基地局配下のセルを移動しながら通信を行う移動局と、を備える無線通信システムであって、
請求項１〜２６のいずれか一つに記載のハンドオーバ制御方法を実行可能とすることを特徴とする無線通信システム
【発明の詳細な説明】
【技術分野】
【０００１】
本発明は、無線アクセスネットワークにおけるハンドオーバ制御方法に関するものである。
【背景技術】
【０００２】
たとえば、ＩＭＴ２０００，ＣＤＭＡ２０００のような無線通信システムにおける無線アクセスネットワークにおいて、移動局は、複数の基地局が作るセルと呼ばれる通信エリアを移動しながら、基地局と通信を行っている。そして、セル境界付近へ到達し、無線通信品質が劣化して基地局との通信の継続が困難になると、無線通信品質のより良好な基地局へのハンドオーバを行う。このとき、ハンドオーバ実行の要否は、移動局がハンドオーバ元基地局との間およびハンドオーバ先基地局との間でそれぞれ通信品質を測定し、基地局が移動局から得られる通信品質を比較することにより決定される。
【０００３】
また、基地局によっては、移動局からハンドオーバの要求があった場合であっても、その移動局の機能や性能またはサービスクラスなどにより、接続を制限する場合がある。たとえば、下記特許文献１では、ハンドオーバが許可（または拒否）される加入者クラスを定めている。そのため、基地局では、このクラスに応じた隣接セルリスト（ハンドオーバ先候補として選択可能なセル（基地局）を登録したリスト）を保持し、ハンドオーバ判定時にこの隣接セルリストと移動局の加入者情報とを比較することにより、ハンドオーバ可否を決定している。また、下記特許文献２では、移動局の送信電力クラスに応じたセル形式（マクロセル／マイクロセル）が混在したネットワークにおいて、移動局の送信電力クラスおよびセル形式をハンドオーバ判定条件に加え、移動局が使用すべきセルをハンドオーバ先セルとして選択している（ハンドオーバの可否を決定している）。
【０００４】
また、上記のような無線通信システムを構成する基地局の中には、たとえば、アクセス制限等により特定ユーザグループを指定して高速データ転送や低価格サービス等の特殊なサービスを提供することが可能な基地局が存在している場合がある。このようなサービスを提供可能な基地局は、たとえば、一般的なサービスを提供する基地局がカバーするマクロセルの中に、ホットスポット的に小さなサービスエリアを形成する。上記特殊なサービスを提供可能な基地局が存在する場合、その特殊サービスを利用可能なユーザグループに属する移動局は、いずれの基地局とも通信可能であるが、ユーザの利便性を考えた場合にはできる限り特殊サービスを提供する基地局との通信を継続することが望ましい。
【０００５】
【特許文献１】特表２００２−５１２７６２号公報
【特許文献２】特表平１０−５０１３９３号公報
【発明の開示】
【発明が解決しようとする課題】
【０００６】
しかしながら、従来の無線通信システムでは、基地局種別（ユーザグループ属性）に関わらず予め設定された一律のハンドオーバ判定条件に従ってハンドオーバ実行タイミングが決定されている。そのため、上記の条件を満たしてしまえば、実際には上記特殊なサービスを提供する基地局との通信を継続できる状態であっても、ユーザの利便性またはユーザの意思とは関係なく他の基地局へのハンドオーバが実行されてしまう可能性がある、という問題があった。
【０００７】
本発明は、上記に鑑みてなされたものであって、上記特殊なサービスを提供する基地局との接続を優先させるように、ハンドオーバ実行の要否を決定するハンドオーバ制御方法を得ることを目的とする。
【課題を解決するための手段】
【０００８】
上述した課題を解決し、目的を達成するために、本発明は、一般的な公衆サービスを提供する基地局および特定のユーザグループに属する移動局に限定してサービスを提供する基地局を含む複数の基地局と、当該複数の基地局配下のセルを移動しながら通信を行う移動局と、を備える無線通信システムにおけるハンドオーバ制御方法であって、前記移動局が、通信中の基地局および通信可能な周辺の基地局が送信する無線信号の品質を測定し、その結果を前記通信中の基地局に報告する第１の品質測定ステップと、前記通信中の基地局が、報告内容に基づき自局が送信する無線信号の品質が劣化し所定の検出閾値を下回ったことを認識し、かつ、前記移動局が属するユーザグループにサービスを提供するサービス提供基地局が隣接基地局の中に存在すると判断した場合に、当該サービス提供基地局をハンドオーバ先基地局の候補として優先的に選択する基地局選択ステップと、前記サービス提供基地局が選択されている場合に、前記通信中の基地局が、通常よりハンドオーバが速やかに実施されるように設定された所定の高速実施判定条件を指定し、前記移動局に通知する判定閾値指定ステップと、前記移動局が、前記通信中の基地局から受信した無線信号の品質が劣化し前記判定条件を満たしていると判断した場合に、その旨を前記通信中の基地局へ報告する第２の品質測定ステップと、前記通信中の基地局が、報告内容に基づき前記サービス提供基地局へのハンドオーバの実行を前記移動局に指示するハンドオーバ判断ステップと、を含むことを特徴とする。
【発明の効果】
【０００９】
この発明によれば、移動局がハンドオーバを実行する場合に、その移動局が属するユーザグループにサービスを提供する基地局を、優先的にハンドオーバ先候補として選択することとした。これにより、移動局が属するユーザグループにサービスを提供する基地局へのハンドオーバを速やかに実施することができる、という効果を奏する。
【発明を実施するための最良の形態】
【００１０】
以下、本発明にかかるハンドオーバ制御方法および無線通信システムの実施の形態を、図面に基づいて詳細に説明する。なお、この実施の形態によりこの発明が限定されるものではない。
【００１１】
実施の形態１．
図１は、本発明にかかるハンドオーバ制御方法を適用する無線アクセスネットワークの一構成例を示す図である。この無線アクセスネットワークは、基地局１，２，３と移動局４で構成される。また、基地局１，２，３は、移動局と無線伝送路を介して通信を行うためのセル１００，２００，３００を形成する。
【００１２】
図１において、基地局１，２は、無線アクセスネットワーク内で一般的な公衆サービスを提供するとともに、移動局から受信した無線品質情報に基づいてハンドオーバ実施の要否を判定する。基地局３は、予め登録されている特定のユーザグループに高速データ転送，低価格サービス等の特殊なサービスを提供する。なお、特殊サービスを提供するための動作以外は、基地局１，２と同様である。移動局４は、上記特殊サービスを利用可能なユーザグループに属することとし、基地局１、２または３との間で無線伝送路を介して通信を行う。
【００１３】
また、図２は、本発明にかかるハンドオーバ制御方法を実現するための基地局および移動局の実施の形態１の構成例を示す図である。なお、図中の点線で示した構成要素については、本実施の形態では動作しない。
【００１４】
図２に示す各基地局において、無線送信部１１は、所定の送信処理で移動局４へ無線信号を送信する。無線受信部１２は、所定の受信処理で移動局４から送信される無線信号を受信する。制御部１３は、自装置内の状態や予め保持している情報に基づいて装置内各部の制御を行うとともに、移動局４に通知すべき情報を無線送信部１１経由で無線伝送路へ送出するための制御を行う。ハンドオーバ判定部１４は、移動局４から受信した通信品質情報や予め保持している情報に基づいてハンドオーバ実施の要否を判定する。グループ登録管理部１５−１，１５−２は、隣接基地局のユーザグループの登録状況を管理する。
【００１５】
また、移動局４において、無線送信部２１は、所定の送信処理で基地局へ無線信号を送信する。無線受信部２２は、所定の受信処理で基地局から送信される無線信号を受信するとともに、無線信号の品質を測定する。制御部２３は、自装置内の状態や受信した情報に基づいて装置内各部の制御を行うとともに、基地局に対して通知すべき情報を無線送信部２１経由で無線伝送路へ送出するための制御を行う。
【００１６】
つづいて、本発明にかかるハンドオーバ制御方法を適用した無線アクセスネットワーク内におけるハンドオーバ動作を、図１、図２および図３を用いて説明する。図３は、ハンドオーバ実施判定の様子を示す図である。ここでは、ハンドオーバ実施の要否を判定するための条件、が示されている。
【００１７】
セル１００を介して基地局１と通信中の移動局４は、移動によりセル１００とセル２００，３００が重なるエリアへ到達すると、基地局２，３から送信された無線信号を受信することが可能な状態となる。なお、基地局１と通信中の移動局４では、無線受信部２２にて基地局１から受信した無線信号の品質を測定し、その結果を基地局１に報告している。
【００１８】
上記にように、基地局２，３から送信された無線信号を受信することが可能な状態となり、さらに、基地局１からの無線信号の品質が劣化して予め規定された無線信号品質劣化検出閾値を下回ったことを検出すると、無線受信部２２では、基地局１との間の品質測定に加えて、基地局２，３からの無線信号の品質測定を開始する。そして、制御部２３は、その測定結果を無線送信部２１経由で基地局１へ報告する。
【００１９】
一方、基地局１，２，３は、それぞれ、グループ登録管理部１５−１，１５−２に登録されている上記ユーザグループを一意に示す情報（たとえば識別子など）を、自局配下のセル１００，２００，３００内にある不特定の移動局へ報知している。移動局４の制御部２３は、報知された情報からユーザグループへの自局の登録状況を認識し、その登録状況を基地局１へ報告する。本実施の形態では、移動局４が、基地局３が管理する特定のユーザグループにのみ登録されている場合について説明する。
【００２０】
基地局１のハンドオーバ判定部１４は、移動局４からの報告により無線信号品質が劣化して無線信号品質劣化検出閾値を下回ったことを認識すると、自局に隣接して配置されハンドオーバ可能な基地局として登録されている複数の基地局（以降、隣接基地局と記載する）の中から、ハンドオーバ先基地局の候補を選択する。この際、基地局１のハンドオーバ判定部１４は、移動局４から報告されたユーザグループ登録状況をグループ登録管理部１５−１へ問い合わせて、その報告内容の正当性を検証する。たとえば、移動局４が属しているユーザグループにサービスを提供する基地局３が隣接基地局の中に存在する場合、ハンドオーバ判定部１４では、この基地局３をハンドオーバ先基地局の候補として優先的に選択する。そして、選択した基地局３に応じたハンドオーバ判定閾値を制御部１３へ通知する。
【００２１】
本実施の形態では、上記選択処理において、移動局４が属するユーザグループにサービスを提供する基地局３が優先的に選択されているので、通常よりハンドオーバが速やかに実施されるように設定したハンドオーバ判定閾値（図３の「変更後のハンドオーバ判定閾値Ｂ」に対応）が指定される。なお、ハンドオーバ先候補となる基地局が移動局４の属しているユーザグループにサービスを提供していない場合には、予め設定されたハンドオーバ判定閾値の基準値（図３の「通常のハンドオーバ判定閾値Ａ」に対応）がハンドオーバ判定部１４により指定される。
【００２２】
基地局１の制御部１３は、上記で選択された基地局３に応じたハンドオーバ判定閾値を、移動局４に対して通知する制御を行う。また同時に、制御部１３は、移動局４に対して、「基地局１との間の無線信号品質がさらに劣化し、その無線通信品質と、基地局３との間の無線信号品質と、の差分が指定したハンドオーバ判定閾値を超えた場合」に、その旨を報告するように指示する制御を行う。
【００２３】
その後、移動局４が移動を継続し基地局１から受信した無線信号の無線信号品質が基地局３から受信した無線信号の無線信号品質を下回り、さらにその差分が指定されたハンドオーバ判定閾値Ｂを越えると、移動局４の制御部２３では、その測定結果を無線送信部２１経由で基地局１へ報告する。図３には、移動局４が測定した無線信号品質の変化の様子とハンドオーバ実施判定との関係が詳細に示されている。この報告を受けた基地局１のハンドオーバ判定部１４では、基地局３へのハンドオーバを実施する旨を制御部１３へ通知する。そして、制御部１３は、無線送信部１１経由で、移動局４に対してハンドオーバの実行を指示する。
【００２４】
基地局１からハンドオーバの実行を指示された移動局４は、その指示に従って通信相手を基地局１から基地局３へ切り替えるハンドオーバを実行する。これにより、通常より早いタイミングで基地局３へのハンドオーバが行われることになる。
【００２５】
つづいて、移動局４が移動して通信中の基地局３から離れていき、基地局３から基地局１へのハンドオーバを実行する場合の動作を、図４，図５を用いて説明する。図４は、移動局４が基地局３から基地局１へのハンドオーバを実行する際の接続状態を示す図である。また、図５は、ハンドオーバ実施判定の様子を示す図であり、詳細には、移動局４が測定した無線信号品質の変化の様子とハンドオーバ実施判定との関係が示されている。なお、以下では、移動局４が、通信中の基地局３から受信した無線信号の無線信号品質を測定しており、その測定結果を基地局３に報告していることを前提とする。
【００２６】
移動局４の無線受信部２２では、基地局３との間の無線信号品質が劣化して予め規定された無線信号品質劣化検出閾値を下回ったことを検出すると、この時点から、基地局１，２（図４では基地局２を図示していない）から送られてくる無線信号についても品質測定を開始する。そして、制御部２３が、それらの測定結果を無線送信部２１経由で基地局３へ報告する。また同時に、制御部２３では、基地局１，２から報知される情報から、自局が登録しているユーザグループが管理されていないことを認識し、その旨を基地局３へ報告する。
【００２７】
基地局３のハンドオーバ判定部１４は、移動局４からの報告により無線信号品質が劣化して予め規定された無線信号品質劣化検出閾値を下回ったことを認識すると、隣接基地局の中からハンドオーバ先基地局の候補を選択する。具体的には、ハンドオーバ判定部１４は、移動局４から報告されるユーザグループ登録状況をグループ登録管理部１５−２へ通知する。そして、グループ登録管理部１５−２からの応答により、移動局４の属しているユーザグループにサービスを提供している基地局が上記隣接基地局の中に無いことを認識する。そのため、ハンドオーバ判定部１４では、ハンドオーバ先候補の基地局を通常の条件で選択する。以降、通常の条件で選択されたハンドオーバ先候補として、基地局１が選択された場合について説明する。
【００２８】
基地局３の制御部１３は、上記の選択結果に従い、移動局４に対して、「基地局３との間の無線信号品質がさらに劣化し、その無線通信品質と、基地局１との間の無線信号品質と、の差分が指定したハンドオーバ判定閾値を超えた場合」に、その旨を報告するように指示する制御を行う。
【００２９】
また、基地局３の制御部１３では、ハンドオーバ先候補となる基地局１が移動局４の属しているユーザグループにサービスを提供していないため、予め設定されたハンドオーバ判定閾値の基準値（図５の通常のハンドオーバ判定閾値Ｃに対応）ではなく、図５の変更後のハンドオーバ判定閾値Ｄを指定する。このハンドオーバ判定閾値Ｄは、通常よりハンドオーバの実施を遅らせて可能な限り基地局３との通信を継続するように設定した値である。そして、制御部１３は、上記で指定したハンドオーバ判定閾値を、移動局４に対して通知する制御を行う。
【００３０】
その後、移動局４が移動を継続し基地局３から受信した無線信号の無線信号品質が基地局１から受信した無線信号の無線信号品質を下回り、さらにその差分が指定されたハンドオーバ判定閾値Ｄを越えると、移動局４の制御部２３では、その測定結果を無線送信部２１経由で基地局３へ報告する。この報告を受けた基地局３のハンドオーバ判定部１４では、基地局１へのハンドオーバを実施する旨を制御部１３へ通知する。そして、制御部１３は、無線送信部１１経由で、移動局４に対してハンドオーバの実行を指示する。
【００３１】
基地局３からハンドオーバの実行を指示された移動局４は、その指示に従って通信相手を基地局３から基地局１へ切り替えるハンドオーバを実行する。これにより、通常より遅いタイミングで基地局１へのハンドオーバが行われることになる。
【００３２】
このように、本実施の形態によれば、移動局がハンドオーバを実行する場合には、その移動局が属するユーザグループにサービスを提供する基地局を、優先的にハンドオーバ先候補として選択することとした。また、上記と同様の場合には、その移動局が属するユーザグループにサービスを提供する基地局との通信が可能な限り長くなるように、ハンドオーバタイミングを決定することとした。これにより、移動局が属するユーザグループにサービスを提供する基地局へのハンドオーバについては、速やかに実施することができ、一方で、移動局が属するユーザグループにサービスを提供する基地局から提供しない基地局へのハンドオーバについては、可能な限りハンドオーバ元基地局との通信を継続することができるので、ユーザ利便性を向上させることができる。
【００３３】
なお、本実施の形態においては、移動局４が、隣接基地局が報知する情報に基づき、隣接基地局の中に、所定のユーザグループ（移動局が登録されているユーザグループに限らない）にサービスを提供する基地局があるかどうかだけを確認し、その基地局の有無を接続中の基地局１へ報告することとしてもよい。このような報告が行われる場合、基地局１では、ハンドオーバ判定部１４が、グループ登録管理部１５−１の登録内容を検索し、移動局４が属するユーザグループにサービスを提供する基地局の存在を検出することになる。これにより、移動局４は、自局のユーザグループ登録状況を記憶しておく必要が無いので、自局内で管理する情報を削減することができる。また、移動局４から基地局１へ通知する情報が削減されるので、無線リソースの使用効率を改善することができる。
【００３４】
また、本実施の形態においては、移動局が、登録ユーザグループにサービスを提供する基地局の無線信号品質測定を優先的に実施することとしてもよい。たとえば、移動局と通信中の基地局は、隣接基地局の中に、所定のユーザグループ（移動局が登録されているユーザグループに限らない）にサービスを提供する基地局が存在する場合、それらのユーザグループにサービスを提供する基地局に対する品質測定を優先的に実行しその測定結果を優先的に報告するように、移動局に対して指示する。一方で、隣接基地局の中にユーザグループにサービスを提供する基地局が無い場合には、品質測定を行わないように指示する。そして、移動局は、上記ユーザグループにサービスを提供する基地局の中に、自局が登録しているユーザグループにサービスを提供する基地局が存在する場合、この登録ユーザグループを管理する基地局の品質を優先的に測定し、その測定結果を通信中基地局へ報告する。この報告を受けた通信中基地局では、上記登録ユーザグループを管理する基地局へ登録情報を照会し、報告内容の正当性を確認できた場合に、この基地局をハンドオーバ先基地局として選択する。これにより、移動局が登録されたユーザグループにサービスを提供する基地局を、優先的にハンドオーバ先候補として扱うことができる。また、ユーザグループにサービスを提供する基地局が無い場合には、移動局による不必要な品質測定を防止することができる。
【００３５】
また、本実施の形態においては、基地局からユーザグループに関する情報を移動局へ通知し、移動局側で優先的に扱うべき基地局の有無を識別することとしてもよい。たとえば、移動局と通信中の基地局は、隣接基地局の中に、所定のユーザグループ（移動局が登録されているユーザグループに限らない）にサービスを提供する基地局が存在する場合、ユーザグループにサービスを提供する隣接基地局の情報としてそのユーザグループの識別子を、移動局へ通知する。移動局では、自局が登録されているユーザグループの識別子がこの通知に含まれている場合、該当する基地局に対する品質測定を優先的に行う。一方、自局が登録されているユーザグループの識別子がこの通知に含まれていない場合には、品質測定を行わない。これにより、移動局が登録されたユーザグループにサービスを提供する基地局を、優先的にハンドオーバ先候補として扱うことができる。また、ユーザグループにサービスを提供する基地局が無い場合には、移動局による不必要な品質測定を防止することができる。
【００３６】
実施の形態２．
図６は、本発明にかかるハンドオーバ制御方法を実現するための基地局および移動局の実施の形態２の構成例を示す図である。図６において、本実施の形態の基地局３ａは、前述した実施の形態１の基地局３と比較すると、ハンドオーバ判定部１４に代えてハンドオーバ判定部１４ａを備えている点が異なっている。なお、前述した実施の形態１と同様の構成については、同一の符号を付してその説明を省略する。また、無線アクセスシステムの構成は、基地局３に代えて基地局３ａを備えること以外、前述した実施の形態１と同様である。また、図６において、基地局２は説明の便宜上記載していない。
【００３７】
また、図７は、ハンドオーバ実施判定の様子を示す図であり、詳細には、移動局４が測定した無線信号品質の変化の様子とハンドオーバ実施判定との関係が示されている。
【００３８】
ここで、実施の形態２のハンドオーバ制御方法を、上記図６および図７にしたがって説明する。以降、前述した実施の形態１と異なる処理を中心に説明する。なお、移動局が属するユーザグループにサービスを提供する基地局（基地局３ａに相当）へのハンドオーバについては、前述の実施の形態１と同様に実行する（図１，２，３参照）。また、移動局４に対してハンドオーバ判定閾値Ｄを通知する動作についても、前述の実施の形態１と同様に実行する。
【００３９】
本実施の形態の基地局３ａのハンドオーバ判定部１４ａは、移動局４と自局との間の無線信号品質が無線信号品質劣化検出閾値を下回ったことを認識した場合に、実施の形態１と同様の処理で、たとえば、基地局１を選択する。一方で、ハンドオーバ判定部１４ａは、移動局４の属しているユーザグループにサービスを提供している基地局が隣接基地局の中に無いことを認識し、それを認識した時点よりハンドオーバを禁止する。
【００４０】
また、基地局３ａのハンドオーバ判定部１４ａでは、移動局４からの報告によって、基地局３ａから受信した無線信号の無線信号品質が基地局１から受信した無線信号の無線信号品質を下回り、さらにその差分がハンドオーバ判定閾値Ｄを越えたことを認識した場合であっても、上記のとおりハンドオーバを禁止しているため、その報告を無視してハンドオーバを実施しないと判断する。これにより、基地局３ａは、移動局４との通信をさらに継続することとなる。
【００４１】
その後、さらに移動局４が移動し、移動局４と基地局３ａとの間の無線信号品質がさらに劣化し、移動局４と基地局３ａとの間の通信が切断されると、移動局４は、これまでの無線信号品質の測定によって通信可能な状態であることが分かっている基地局１に対して再接続要求を行う。すなわち、移動局４では、ハンドオーバではなく、改めて基地局１との通信接続を確立（再接続）することによって、通信を行う基地局を切り替える。
【００４２】
このように、本実施の形態によれば、移動局が自局の属しているユーザグループにサービスを提供している基地局と通信を行っている状況では、移動局が無線信号品質の劣化によりハンドオーバを希望した場合であっても、上記ユーザグループにサービスを提供している基地局が隣接基地局の中に無いことを理由として、他の基地局へのハンドオーバを禁止することとした。また、無線信号品質のさらなる劣化により上記移動局と基地局との通信が切断された場合、移動局は、ハンドオーバではなく、改めて無線信号品質の良好な基地局との通信接続を確立することによって、基地局を切り替えることとした。これにより、限界までハンドオーバ元基地局との通信を継続することができるので、その結果としてユーザ利便性のさらなる向上が可能となる。
【００４３】
なお、本実施の形態では、上記と異なる方法により、限界までハンドオーバ元基地局との通信を継続することとしてもよい。たとえば、基地局３ａが、移動局４からの報告により、自局の無線信号品質が無線信号品質劣化検出閾値を下回ったことを認識した場合であっても、ハンドオーバ先基地局の候補となる基地局１に対する無線信号品質の測定を行わないように制御することによって、ハンドオーバの実施を禁止する。これにより、ハンドオーバ先基地局に対する無線信号品質の測定が行われず、ハンドオーバ元基地局でのハンドオーバ判定も行われないので、結果として移動局および基地局の処理負荷を軽減することができる。
【００４４】
また、本実施の形態では、移動局が、ハンドオーバ先基地局の候補に対する無線信号品質の測定指示を無視することで、自律的にハンドオーバを禁止することとしてもよい。また、移動局が、ハンドオーバ先基地局の候補に対する無線信号品質の測定およびその報告、またはそのいずれか一方、の頻度を下げる動作を行うことで、自律的にハンドオーバを抑制することとしてもよい。これにより、移動局の処理負荷をさらに軽減することができる。また、移動局によるハンドオーバ禁止動作または抑制動作を、ユーザによる設定に基づき選択的に実施することとしてもよい。これにより、移動局の使用状況や目的に応じてユーザがハンドオーバを制御することが可能となる。
【００４５】
また、本実施の形態では、移動局が無線信号品質の劣化によって通信の継続が困難な状態であることを検出した場合に、移動局またはその報告を受けた基地局による自立的な処理で、上記ハンドオーバ禁止動作または上記抑制動作を解除することとしてもよい。これにより、無線信号品質の劣化による通信の切断を防止することができる。
【００４６】
実施の形態３．
図８は、本発明にかかるハンドオーバ制御方法を実現するための基地局および移動局の実施の形態３の構成例を示す図である。本実施の形態では、前述した実施の形態１と比較して、基地局３ｂがハンドオーバ判定部１４に代えてハンドオーバ判定部１４ｂを備えている点、移動局４ｂが制御部２３に代えて制御部２３ｂを備えている点、さらに、移動局４ｂにハンドオーバ条件選択部２４ｂが追加されている点、が異なっている。なお、前述した実施の形態１または２と同様の構成については、同一の符号を付してその説明を省略する。また、無線アクセスシステムの構成は、移動局４に代えて移動局４ｂを備えることと、基地局３に代えて基地局３ｂを備えること以外、前述した実施の形態１と同様である。また、図８において、基地局２は説明の便宜上記載していない。
【００４７】
ここで、実施の形態３のハンドオーバ制御方法を、上記図８にしたがって説明する。以降、前述した実施の形態１または２と異なる処理を中心に説明する。なお、移動局が属するユーザグループにサービスを提供する基地局（基地局３ｂに相当）へのハンドオーバについては、前述の実施の形態１と同様に実行する（図１，２，３参照）。
【００４８】
本実施の形態の移動局４ｂの制御部２３ｂは、実施の形態１と同様の処理で、基地局１，２から報知される情報から、自局が登録しているユーザグループにサービスを提供していないことを認識し、その旨を基地局３ｂへ報告する。さらに、上記自局が登録しているユーザグループにサービスを提供していないこと、をハンドオーバ条件選択部２４ｂへ通知する。ハンドオーバ条件選択部２４ｂでは、この通知内容を移動局４ｂのユーザへ画面表示や音声案内などによって通知する。ユーザは、この通知に従い、現在通信中の基地局３ｂとの接続を可能な限り継続するかどうか、を自身の判断によって決定する。そして、その決定内容をキー操作などの手動操作によってハンドオーバ条件選択部２４ｂへ通知する。そして、ハンドオーバ条件選択部２４ｂは、この決定内容を制御部２３ｂへ通知し、制御部２３ｂが、これを無線送信部２１経由で基地局３ｂへ報告する。
【００４９】
基地局３ｂのハンドオーバ判定部１４ｂでは、基地局３ｂとの接続を可能な限り継続する旨の報告を受けた場合、実施の形態１の図４，図５で説明したように、ハンドオーバ判定条件を変更する動作を行う。または、図６，図７で説明したように、ハンドオーバを禁止する動作を行う。一方、基地局３ｂとの接続を可能な限り継続する旨の報告を受けなかった場合には、上記の動作を行わずに、通常の設定に従いハンドオーバの実施を判断する。
【００５０】
また、基地局３ｂのハンドオーバ判定部１４ｂが上記ハンドオーバ判定条件を変更する動作または上記ハンドオーバを禁止する動作を行っている状態で、ユーザが基地局３ｂから他の基地局へのハンドオーバを実施しても良いと判断し、手動設定によってその旨の設定を行った場合、移動局４ｂのハンドオーバ条件選択部２４ｂでは、制御部２３ｂおよび無線送信部２１経由で、設定された内容を基地局３ｂへ通知する制御を行う。そして、基地局３ｂのハンドオーバ判定部１４ｂは、上記動作を元に戻し、通常の設定に従いハンドオーバの実施を判断する。
【００５１】
このように、本実施の形態によれば、移動局が、外部からの設定に基づき、現在通信中の基地局との接続を可能な限り継続するかどうかを決定することとした。また、通信中の基地局は、その決定内容に基づいて、上記ハンドオーバ判定条件を変更する動作、上記ハンドオーバを禁止する動作、または通常の設定に従ったハンドオーバの実施判断、を行うこととした。これにより、ユーザ利便性のさらなる向上が可能となる。
【００５２】
実施の形態４．
前述した実施の形態１では、移動局４が、基地局１，３から受信した無線信号の品質を測定し、基地局が、無線信号品質の差分をハンドオーバ判定条件として、動的にハンドオーバタイミングを変更していた。実施の形態４では、上記差分ではなく、無線信号品質自体をハンドオーバ判定条件として、動的にハンドオーバタイミングを変更する場合について説明する。なお、無線アクセスシステム、移動局および基地局の構成は、前述した実施の形態１と同様である。
【００５３】
図９，図１０は、ハンドオーバ判定条件を基地局３の無線信号品質とした場合の、ハンドオーバ実施判定の様子を示す図であり、詳細には、移動局４が測定した無線信号品質の変化の様子とハンドオーバ実施判定との関係が示されている。
【００５４】
図９において、基地局１のハンドオーバ判定部１４は、移動局４に対して、基地局１の無線信号品質が指定した変更後の判定閾値を超えた場合にその旨を報告するように、指示する制御を行う。そして、基地局１では、移動局４から、無線信号品質が上記判定閾値を超えた旨の報告を受けた時点で、自局から基地局３へのハンドオーバ実施を決定する。
【００５５】
また、図１０において、基地局３のハンドオーバ判定部１４は、移動局４に対して、基地局３の無線信号品質が指定した変更後の判定閾値を下回った場合にその旨を報告するように、指示する制御を行う。そして、基地局３では、移動局４から、無線信号品質が上記判定閾値を下回った旨の報告を受けた時点で、自局から基地局１へのハンドオーバ実施を決定する。
【００５６】
なお、上記図９および図１０に基づくハンドオーバ実施判定処理以外については、前述した実施の形態１と同様である。
【００５７】
このように、本実施の形態によれば、移動局は、ユーザグループ登録された基地局との間で問題なく通信ができる状態となった時点で、ハンドオーバ元基地局の無線信号品質の状態に関係なく速やかにハンドオーバを実施することとした。また、移動局は、ユーザグループ登録された基地局との間で問題なく通信ができる状態である判断している場合については、ハンドオーバ先基地局の無線信号品質の状態に関係なく現在の通信を継続することとした。これにより、確実にユーザグループ登録された基地局との通信が維持されることとなるので、前述した実施の形態１と同様に、ユーザの利便性を向上させることができる。
【００５８】
実施の形態５．
前述した実施の形態１では、基地局１，２が、それぞれ自局と隣接基地局のユーザグループ登録状況を管理し、ハンドオーバ判定条件を制御していた。実施の形態５では、各基地局が自局のユーザグループ登録状況のみを管理し、ハンドオーバ判定を行う際には、移動局と接続中の基地局が、隣接基地局へその移動局に関するユーザグループ登録状況を問い合わせる構成とした。
【００５９】
図１１は、本発明にかかるハンドオーバ制御方法を実現するための基地局および移動局の実施の形態５の構成例を示す図である。本実施の形態では、前述した実施の形態１の基地局１と比較して、基地局１ｃが、制御部１３に代えて制御部１３ｃを備えている点、ハンドオーバ判定部１４に代えてハンドオーバ判定部１４ｃを備えている点、グループ登録管理部１５−１に代えてグループ登録管理部１５−１ｃを備えている点、が異なっている。また、前述した実施の形態１の基地局３と比較して、基地局３ｃが、制御部１３に代えて制御部１３ｃを備えている点、ハンドオーバ判定部１４に代えてハンドオーバ判定部１４ｃを備えている点、グループ登録管理部１５−２に代えてグループ登録管理部１５−２ｃを備えている点、が異なっている。グループ登録管理部１５−１ｃ，１５−２ｃは、自局のユーザグループの登録状況を管理する。
【００６０】
なお、前述した実施の形態１〜４と同様の構成については、同一の符号を付してその説明を省略する。また、本実施の形態の無線アクセスシステムの構成は、基地局１，２，３に代えて基地局１ｃ，２ｃ、３ｃを備えること以外、前述した実施の形態１と同様である。また、図１１において、基地局２ｃ（基地局１ｃと同様の構成）は説明の便宜上記載していない。以降の説明では、前述した実施の形態１と異なる処理を中心に説明する。
【００６１】
本実施の形態の基地局１ｃ，３ｃは、それぞれグループ登録管理部１５−１ｃ，１５−２ｃに登録されているユーザグループを示す情報を報知している。移動局４の制御部２３では、各基地局から報知された情報から、ユーザグループへの自局の登録状況を認識し、その登録状況を基地局１ｃへ報告する。なお、移動局４は、基地局３ｃが管理するユーザグループにのみ登録されていることとする。
【００６２】
基地局１ｃのハンドオーバ判定部１４ｃでは、移動機４からの報告により、無線信号品質が劣化して予め規定された無線信号品質劣化検出閾値を下回ったことを認識すると、隣接基地局の中からハンドオーバ先基地局の候補を選択する。
【００６３】
具体的には、まず、ハンドオーバ判定部１４ｃが、移動局４から報告されたユーザグループ登録状況を制御部１３ｃへ通知する。そして、制御部１３ｃが、上記登録状況を隣接基地局へ照会する。
【００６４】
上記登録状況を受け取った基地局３ｃの制御部１３ｃでは、グループ登録管理部１５−２ｃで管理している自局の登録状況に基づき照会内容を確認し、その確認結果を基地局１ｃへ返信する。
【００６５】
基地局１ｃのハンドオーバ判定部１４ｃでは、基地局３ｃからの返信内容に基づき、たとえば、基地局３ｃが移動局４からの報告どおり移動局４の属しているユーザグループにサービスを提供している場合、この基地局３ｃをハンドオーバ先基地局の候補として優先的に選択する。そして、選択した基地局に応じたハンドオーバ判定条件を、制御部１３ｃへ通知する。これにより、ハンドオーバ判定条件を動的に変更することが可能となる。
【００６６】
なお、上記ハンドオーバ先基地局候補を優先的に選択する処理以外の処理については、前述した実施の形態１、２、３または４と同様である。
【００６７】
このように、本実施の形態によれば、各基地局が、隣接基地局のユーザグループ登録状況を管理する必要が無い構成とした。これにより、基地局内で管理する情報量を削減できると同時に、管理負荷を軽減することができる。
【００６８】
実施の形態６．
前述した実施の形態５では、各基地局が、自局のユーザグループ登録状況のみを管理し、ハンドオーバ判定を行う際には、移動局と接続中の基地局が、隣接基地局へその移動局に関するユーザグループ登録状況を問い合わせる構成としていた。実施の形態６では、各基地局におけるユーザグループ登録状況を外部のサーバにより一括管理し、ハンドオーバ判定時には、移動局に関するユーザグループ登録状況をこの外部サーバへ問い合わせる構成とした。
【００６９】
図１２は、本発明にかかるハンドオーバ制御方法を実現するための基地局および移動局の実施の形態６の構成例を示す図である。本実施の形態では、前述した実施の形態５の基地局１ｃと比較して、基地局１ｄが制御部１３ｃに代えて制御部１３ｄを備えている点が異なっている。また、前述した実施の形態１の基地局３ｃと比較して、基地局３ｄが制御部１３ｃに代えて制御部１３ｄを備えている点が異なっている。
【００７０】
なお、前述した実施の形態１〜５と同様の構成については、同一の符号を付してその説明を省略する。また、本実施の形態の無線アクセスシステムの構成は、前述した実施の形態１の構成と比較して、基地局１，２，３に代えて基地局１ｄ，２ｄ、３ｄを備え、さらに、各基地局におけるユーザグループ登録状況を一括管理するグループ登録管理サーバ５ｄが追加された構成となっている。また、図１２において、基地局２ｄ（基地局１ｄと同様の構成）は説明の便宜上記載していない。以降の説明では、前述した実施の形態５と異なる処理を中心に説明する。
【００７１】
本実施の形態の基地局１ｄ，３ｄは、それぞれグループ登録管理部１５−１ｃ，１５−２ｃに登録されているユーザグループを示す情報を報知している。移動局４の制御部２３では、各基地局から報知された情報から、ユーザグループへの自局の登録状況を認識し、その登録状況を基地局１ｄへ報告する。なお、移動局４は、基地局３ｄが管理するユーザグループにのみ登録されていることとする。
【００７２】
基地局１ｄのハンドオーバ判定部１４ｃでは、移動機４からの報告により、無線信号品質が劣化して予め規定された無線信号品質劣化検出閾値を下回ったことを認識すると、隣接基地局の中からハンドオーバ先基地局の候補を選択する。
【００７３】
具体的には、まず、ハンドオーバ判定部１４ｃが、移動局４から報告されたユーザグループ登録状況を制御部１３ｄへ通知する。そして、制御部１３ｄが、上記登録状況をグループ登録管理サーバ５ｄへ照会する。
【００７４】
上記登録状況を受け取った基地局３ｄのグループ登録管理サーバ５ｄでは、内部で管理している各基地局におけるユーザグループ登録状況に基づき照会内容を確認し、その確認結果を基地局１ｄへ返信する。
【００７５】
基地局１ｄのハンドオーバ判定部１４ｃでは、グループ登録管理サーバ５ｄからの返信内容に基づき、たとえば、基地局３ｄが移動局４からの報告どおり移動局４の属しているユーザグループにサービスを提供している場合、この基地局３ｄをハンドオーバ先基地局の候補として優先的に選択する。そして、選択した基地局に応じたハンドオーバ判定条件を、制御部１３ｄへ通知する。これにより、ハンドオーバ判定条件を動的に変更することが可能となる。
【００７６】
なお、上記ハンドオーバ先基地局候補を優先的に選択する処理以外の処理については、前述した実施の形態１、２、３または４と同様である。
【００７７】
このように、本実施の形態によれば、各基地局が隣接基地局のユーザグループ登録状況を管理する必要が無く、さらに、ハンドオーバ元基地局が複数の隣接基地局へユーザグループ登録状況を個別に照会する必要が無い構成とした。これにより、基地局内で管理する情報量を削減できると同時に、管理負荷をさらに軽減することができる。
【産業上の利用可能性】
【００７８】
以上のように、本発明にかかるハンドオーバ制御方法は、様々なサービスを提供する通信エリアが混在する無線アクセスネットワークに有用であり、特に、特殊なサービスを提供する基地局をハンドオーバ先基地局として優先的に選択する場合に適している。
【図面の簡単な説明】
【００７９】
【図１】本発明にかかるハンドオーバ制御方法を適用する無線アクセスネットワークの一構成例を示す図である。
【図２】本発明にかかるハンドオーバ制御方法を実現するための基地局および移動局の実施の形態１の構成例を示す図である。
【図３】ハンドオーバ実施判定の一例を示す図である。
【図４】本発明にかかるハンドオーバ制御方法を実現するための基地局および移動局の実施の形態１の構成例を示す図である。
【図５】ハンドオーバ実施判定の一例を示す図である。
【図６】本発明にかかるハンドオーバ制御方法を実現するための基地局および移動局の実施の形態２の構成例を示す図である。
【図７】ハンドオーバ実施判定の一例を示す図である。
【図８】本発明にかかるハンドオーバ制御方法を実現するための基地局および移動局の実施の形態３の構成例を示す図である。
【図９】ハンドオーバ実施判定の一例を示す図である。
【図１０】ハンドオーバ実施判定の一例を示す図である。
【図１１】本発明にかかるハンドオーバ制御方法を実現するための基地局および移動局の実施の形態５の構成例を示す図である。
【図１２】本発明にかかるハンドオーバ制御方法を実現するための基地局および移動局の実施の形態６の構成例を示す図である。
【符号の説明】
【００８０】
１，１ｃ，１ｄ，２，３，３ａ，３ｂ，３ｃ，３ｄ  基地局
４，４ｂ  移動局
５ｄ  グループ登録管理サーバ
１１  無線送信部
１２  無線受信部
１３，１３ｃ，１３ｄ  制御部
１４，１４ａ，１４ｂ，１４ｃ  ハンドオーバ判定部
１５−１，１５−１ｃ，１５−２，１５−２ｃ  グループ登録管理部
２１  無線送信部
２２  無線受信部
２３，２３ｂ  制御部
２４ｂ  ハンドオーバ条件選択部
１００，２００，３００  セル
【図１】
2009147531.tif 000003
【図２】
2009147531.tif 000004
【図３】
2009147531.tif 000005
【図４】
2009147531.tif 000006
【図５】
2009147531.tif 000007
【図６】
2009147531.tif 000008
【図７】
2009147531.tif 000009
【図８】
2009147531.tif 000010
【図９】
2009147531.tif 000011
【図１０】
2009147531.tif 000012
【図１１】
2009147531.tif 000013
【図１２】
2009147531.tif 000014